(57)【要約】【課題】収容部において記録媒体の供給異常が発生した場合に、記録媒体の供給に係る駆動系の温度上昇を抑制する。【解決手段】画像形成装置１００が利用可能な収容部として、収容部１２０ａ、１２０ｂ、２２０ａ及び２２０ｂがある。収容部１２０ａ、１２０ｂ、２２０ａ及び２２０ｂは、各々が電力供給部を備えており、電力供給の停止や再開を収容部毎に制御可能である。画像形成装置１００は、いずれかの収容部において記録媒体の供給異常が発生した場合に、その収容部の電力供給部による電力供給を停止させる。また、画像形成装置１００は、収容部における供給異常が解消しても、当該収容部に収容された記録媒体を供給する必要が生じるまでは、当該収容部の電力供給部による電力供給を再開させない。【選択図】図１
2010173227.tif 000002
【特許請求の範囲】
【請求項１】
収容された記録媒体を供給する媒体供給部と、前記媒体供給部を駆動する電力を供給する電力供給部とを各々が有する複数の収容部のいずれかにおいて記録媒体の供給異常が検知されたことを表す異常情報を取得する第１の取得手段と、
前記第１の取得手段により異常情報が取得されると、供給異常が検知された前記収容部の前記電力供給部による電力供給を停止させる停止手段と、
供給異常が検知された前記収容部において当該供給異常が解消されたことを表す解消情報を取得する第２の取得手段と、
記録媒体を供給する指示が与えられた場合に、供給対象の記録媒体が収容された前記収容部を特定する特定手段と、
前記異常情報が取得されて電力供給が停止されている前記収容部について前記解消情報が取得され、かつ、前記特定手段により当該収容部が特定された場合に、当該収容部の前記電力供給部による電力供給を再開させる再開手段と
を備えることを特徴とする供給制御装置。
【請求項２】
前記収容部が、前記電力供給部により電力を供給されて記録媒体の供給の準備動作を行う機能を有し、
前記停止手段が、前記収容部において準備動作が行われる場合に前記電力供給部に一時的に電力を供給させ、当該準備動作が終了すると当該電力供給部による電力供給を停止させる
ことを特徴とする請求項１に記載の供給制御装置。
【請求項３】
前記電力供給部が、あらかじめ定められた第１の電圧で電力を供給する第１の電力供給部と、前記第１の電圧より高い第２の電圧で電力を供給する第２の電力供給部とを有し、
前記停止手段による制御に応じて、前記第２の電力供給部の電力供給を停止し、前記第１の電力供給部の電力供給を停止しない
ことを特徴とする請求項１又は２に記載の供給制御装置。
【請求項４】
請求項１ないし３のいずれかに記載の供給制御装置と、
前記収容部から供給される記録媒体に画像を形成する画像形成手段と
を備えることを特徴とする画像形成装置。
【請求項５】
コンピュータを、
収容された記録媒体を供給する媒体供給部と、前記媒体供給部を駆動する電力を供給する電力供給部とを各々が有する複数の収容部のいずれかにおいて記録媒体の供給異常が検知されたことを表す異常情報を取得する第１の取得手段と、
前記第１の取得手段により異常情報が取得されると、供給異常が検知された前記収容部の前記電力供給部による電力供給を停止させる停止手段と、
供給異常が検知された前記収容部において当該供給異常が解消されたことを表す解消情報を取得する第２の取得手段と、
記録媒体を供給する指示が与えられた場合に、供給対象の記録媒体が収容された前記収容部を特定する特定手段と、
前記異常情報が取得されて電力供給が停止されている前記収容部について前記解消情報が取得され、かつ、前記特定手段により当該収容部が特定された場合に、当該収容部の前記電力供給部による電力供給を再開させる再開手段
として機能させるためのプログラム。
【発明の詳細な説明】
【技術分野】
【０００１】
本発明は、供給制御装置、画像形成装置及びプログラムに関する。
【背景技術】
【０００２】
特許文献１には、早期に解消できない異常が検出された場合に、装置内の電源を遮断して節電する画像形成装置について記載されている。
【先行技術文献】
【特許文献】
【０００３】
【特許文献１】特開平７−５２５０３号公報
【発明の概要】
【発明が解決しようとする課題】
【０００４】
本発明の目的は、収容部において記録媒体の供給異常が発生した場合に、記録媒体の供給に係る駆動系の温度上昇を抑制することにある。
【課題を解決するための手段】
【０００５】
本発明の請求項１に係る供給制御装置は、収容された記録媒体を供給する媒体供給部と、前記媒体供給部を駆動する電力を供給する電力供給部とを各々が有する複数の収容部のいずれかにおいて記録媒体の供給異常が検知されたことを表す異常情報を取得する第１の取得手段と、前記第１の取得手段により異常情報が取得されると、供給異常が検知された前記収容部の前記電力供給部による電力供給を停止させる停止手段と、供給異常が検知された前記収容部において当該供給異常が解消されたことを表す解消情報を取得する第２の取得手段と、記録媒体を供給する指示が与えられた場合に、供給対象の記録媒体が収容された前記収容部を特定する特定手段と、前記異常情報が取得されて電力供給が停止されている前記収容部について前記解消情報が取得され、かつ、前記特定手段により当該収容部が特定された場合に、当該収容部の前記電力供給部による電力供給を再開させる再開手段とを備える構成を有する。
【０００６】
本発明の請求項２に係る供給制御装置は、請求項１に記載の構成において、前記収容部が、前記電力供給部により電力を供給されて記録媒体の供給の準備動作を行う機能を有し、前記停止手段が、前記収容部において準備動作が行われる場合に前記電力供給部に一時的に電力を供給させ、当該準備動作が終了すると当該電力供給部による電力供給を停止させる構成を有する。
本発明の請求項３に係る供給制御装置は、請求項１又は２に記載の構成において、前記電力供給部が、あらかじめ定められた第１の電圧で電力を供給する第１の電力供給部と、前記第１の電圧より高い第２の電圧で電力を供給する第２の電力供給部とを有し、前記停止手段による制御に応じて、前記第２の電力供給部の電力供給を停止し、前記第１の電力供給部の電力供給を停止しない構成を有する。
【０００７】
本発明の請求項４に係る画像形成装置は、請求項１ないし３のいずれかに記載の供給制御装置と、前記収容部から供給される記録媒体に画像を形成する画像形成手段とを備える構成を有する。
本発明の請求項５に係るプログラムは、コンピュータを、収容された記録媒体を供給する媒体供給部と、前記媒体供給部を駆動する電力を供給する電力供給部とを各々が有する複数の収容部のいずれかにおいて記録媒体の供給異常が検知されたことを表す異常情報を取得する第１の取得手段と、前記第１の取得手段により異常情報が取得されると、供給異常が検知された前記収容部の前記電力供給部による電力供給を停止させる停止手段と、供給異常が検知された前記収容部において当該供給異常が解消されたことを表す解消情報を取得する第２の取得手段と、記録媒体を供給する指示が与えられた場合に、供給対象の記録媒体が収容された前記収容部を特定する特定手段と、前記異常情報が取得されて電力供給が停止されている前記収容部について前記解消情報が取得され、かつ、前記特定手段により当該収容部が特定された場合に、当該収容部の前記電力供給部による電力供給を再開させる再開手段として機能させる構成を有する。
【発明の効果】
【０００８】
本発明の請求項１、４及び５に記載の構成によれば、収容部において記録媒体の供給異常が発生した場合に、記録媒体の供給に係る駆動系の温度上昇を抑制することができる。
本発明の請求項２に記載の構成によれば、同構成を有しない場合に比べ、再開手段による再開後に記録媒体の供給に係る動作を早く開始することができる。
本発明の請求項３に記載の構成によれば、温度上昇への寄与が比較的低い部分を動作可能にすることができる。
【図面の簡単な説明】
【０００９】
【図１】画像形成システムの概略構成を示す図
【図２】画像形成装置及び媒体供給装置のハードウェア構成を示すブロック図
【図３】収容部及びその周辺の構成を示す図
【図４】収容部の構成を示すブロック図
【図５】制御部が実現する機能を示す機能ブロック図
【図６】制御部が実行する給電制御を示すフローチャート
【図７】制御部が実行する給電制御を示すフローチャート
【図８】制御部が実行する給電制御を示すフローチャート
【図９】収容部の構成を示すブロック図
【発明を実施するための形態】
【００１０】
［実施形態］
図１は、本発明の一実施形態である画像形成システムの概略構成を示す図である。本実施形態の画像形成システム１０は、画像形成装置１００と、媒体供給装置２００とを備える。画像形成装置１００は、自装置又は媒体供給装置２００に収容された記録媒体に画像を形成する。本実施形態の画像形成装置１００は、電子写真方式により記録媒体にトナーで画像を形成するものであるとするが、本発明における画像の記録方式は、電子写真方式に限定されない。
【００１１】
画像形成装置１００と媒体供給装置２００とは、連結して使用されるものである。ここにおいて、連結とは、一方の装置と他方の装置とが通信を行い得るとともに、双方の搬送経路とが組み合わされて連続した搬送経路を形成する状態のことをいう。図１において、二点鎖線は、記録媒体の搬送経路を示している。
【００１２】
本実施形態における記録媒体は、あらかじめ定められた搬送経路に沿って搬送される被搬送媒体の一例である。記録媒体は、本実施形態においては、シート状のいわゆる用紙であるとするが、その材質などは特に限定されない。また、本実施形態において使用される用紙には、サイズの異なるものがあり、例えば、Ａ４サイズ（２１０×２９７ｍｍ）とＡ３サイズ（２９７×４２０ｍｍ）とがある。なお、本発明に係る被搬送媒体は、シート状でなくともよい。
【００１３】
図２は、画像形成装置１００及び媒体供給装置２００のハードウェア構成を示すブロック図である。同図に示すように、画像形成装置１００は、制御部１１０と、収容部１２０ａ及び１２０ｂと、検知部１３０と、通信部１４０と、画像形成部１５０と、指示受付部１６０と、通知部１７０とを備える。制御部１１０は、ＣＰＵ（Central Processing Unit）等の演算処理装置やメモリを備え、プログラムを実行することにより画像形成装置１００の各部の動作を制御するとともに、媒体供給装置２００の動作を制御するための情報を供給する。制御部１１０は、本発明における供給制御装置の一例に相当するものである。
【００１４】
収容部１２０ａ及び１２０ｂは、記録媒体を収容し、これを制御部１１０からの指示に応じて供給する。収容部１２０ａ及び１２０ｂは、それぞれ、特性が相異なる記録媒体を収容していることが望ましい。ここにおいて、特性とは、記録媒体のサイズ、色、材質、表面性状などをいうものである。よって、収容部１２０ａ及び１２０ｂの収容の態様としては、例えば、収容部１２１と収容部１２２とでサイズの異なる記録媒体が収容されたり、あるいは、収容部１２１と収容部１２２とで光沢の度合いや古紙の含有率が異なる記録媒体が収容されたりするものが考えられる。収容部１２０ａ及び１２０ｂに収容される記録媒体の特性は、あらかじめ決められて制御部１１０に記憶されたり、あるいは、使用者のボタン等による操作によって設定されて制御部１１０に記憶されたりする。
【００１５】
収容部１２０ａ及び１２０ｂは、記録媒体の補充や取り出しが可能なように構成されている。かかる構成としては、例えば、図１の紙面に垂直な方向に引き出し可能な構成を挙げることができる。また、画像形成装置１００に開閉する扉を設け、これを開扉することで記録媒体の補充や取り出しを行う構成であってもよい。
【００１６】
なお、収容部１２０ａと収容部１２０ｂとは、以下に説明する構成については共通である。よって、収容部１２０ａ及び１２０ｂに共通する構成について説明する場合には、これらを総称して「収容部１２０」という。本実施形態の収容部１２０は、各々が個別に電力供給を制御できるように構成されている。
【００１７】
図３は、収容部１２０及びその周辺の構成を示す図である。同図に示すように、収容部１２０は、リフト台１２１と供給ロール１２２とを備える。また、センサ１３１は、記録媒体の搬送経路に沿ったあらかじめ定められた位置に設けられている。リフト台１２１は、記録媒体を積み重ねた状態で保持する部材であり、モータ１２３によって駆動される。リフト台１２１は、モータ１２３により図中の矢印Ａが示す方向（上方）に移動され、記録媒体と供給ロール１２２とが接触した状態を維持するように位置調整される。リフト台１２１を上昇させて記録媒体と供給ロール１２２とが接触した状態にする動作のことを、以下においては「リフトアップ」という。なお、リフト台１２１は、記録媒体の位置ずれ（滑り）を抑制する部材が記録媒体の周囲に設けられていると望ましい。供給ロール１２２は、本発明における媒体供給部の一例であり、その中心を軸として回転するように設けられた円柱形の部材である。供給ロール１２２は、モータ１２４によって駆動され、積み重ねられた記録媒体のうちの接しているものを搬送経路（二点鎖線）に押し出すようにして供給する。
【００１８】
なお、本実施形態においては、リフト台１２１の移動量（又は移動時間）によって記録媒体の残量を検知する。そのため、リフト台１２１は、初期状態（画像を形成しない状態）においては移動可能な範囲内の最下方の位置にあり、決められた速度で上昇する。リフト台１２１は、積み重ねられた記録媒体が多いほど、記録媒体と供給ロール１２２とを少ない移動量で接触させる。
【００１９】
図４は、収容部１２０の構成を示すブロック図である。収容部１２０は、電力供給部１２５を備える。電力供給部１２５は、リレー回路等を備え、モータ１２３及び１２４に供給する電力を制御する。電力供給部１２５は、制御部１１０からの指示に応じて、電力を供給したり、電力の供給を停止したりする。
【００２０】
なお、モータ１２３及び１２４は、電力供給部１２５による電力供給のオン／オフとは別に、制御部１１０からの指示に応じてオン／オフが切り換えられる。よって、モータ１２３及び１２４は、電力が供給されている場合において常に動作するわけではなく、電力が供給されているものの動作しないときもある。
【００２１】
検知部１３０は、センサ１３１及びセンサ１３２を備える。センサ１３１は、収容部１２０ａに対応して設けられたセンサであり、センサ１３２は、収容部１２０ｂに対応して設けられたセンサである。センサ１３１及び１３２は、記録媒体の有無を検知するセンサであり、あらかじめ定められた位置に設けられている。センサ１３１及び１３２は、本実施形態においては、搬送経路に向けて光を照射し、その光を感知したか否かによって記録媒体の存在を検知する。本実施形態のセンサ１３１及び１３２は、記録媒体を検知した状態（以下「オン状態」という。）とそうでない状態（以下「オフ状態」という。）とを識別可能な検知信号を制御部１１０に供給する。センサ１３１及び１３２は、記録媒体が正常に供給されている場合にあっては、通常はオフ状態であり、記録媒体が通過する一定時間にオン状態となった後、再びオフ状態に戻る。
【００２２】
センサ１３１及び１３２は、収容部１２０における供給異常を検知する手段として機能する。ここにおいて、記録媒体の供給異常とは、記録媒体が予定どおりに搬送されないことをいうものである。例えば、収容部１２０ａにより記録媒体が供給され、記録媒体を検知してオン状態となるべきタイミングでセンサ１３１がオン状態にならない場合は、記録媒体が正常に供給されていない状態にあることを意味する。また、センサ１３１がオン状態になったままオフ状態に戻らない場合は、記録媒体の移動が妨げられ、記録媒体が停止した状態にあることを意味する。制御部１１０は、センサ１３１及び１３２から供給される検知信号に基づいて、このような供給異常の状態を検知する。
【００２３】
通信部１４０は、画像形成装置１００と媒体供給装置２００とが連結するためのコネクタ等を備え、媒体供給装置２００との間におけるデータの送受信を行う。画像形成部１５０は、記録媒体の搬送経路の途中の決められた位置に設けられ、搬送されてきた記録媒体に画像を形成する。画像形成部１５０の記録方式は、特に限定されないが、本実施形態においては、電子写真方式である。本実施形態の画像形成部１５０は、図１に示すように、記録媒体を保持した状態で搬送する搬送ベルト１５１、トナー像を形成する感光体ドラム１５２、トナー像を記録媒体に転写する転写ベルト１５３、記録媒体にトナー像を定着させる定着器１５４などを備える。
【００２４】
指示受付部１６０は、ボタン等の操作子を備え、使用者による指示を受け付ける。使用者による指示には、画像形成に関する指示と、供給異常が解消されたことを表す指示とが含まれる。画像形成に関する指示は、画像形成に使用する用紙のサイズ等の指示を含む。供給異常が解消されたことを表す指示は、使用者が供給異常を確認し、詰まっている記録媒体を取り除くなどして供給異常を解消した場合に行う操作を表す指示である。
なお、使用者による指示は、画像形成装置１００に対して直接行われるのではなく、ネットワーク等を介して接続された外部装置に対して行われ、画像形成装置１００にはその外部装置を介して指示が与えられる形態であってもよい。この場合、画像形成装置１００と外部装置とを接続する接続手段が、上述した指示受付部１６０に相当する機能を果たす。
【００２５】
通知部１７０は、使用者に対して各種の通知を行う。ここでいう通知には、供給異常が生じたことを通知するものや、収容部１２０等に収容されている記録媒体の残量を通知するものが含まれる。なお、通知部１７０による通知の態様は、音声による通知であってもよいし、画像による通知であってもよい。通知部１７０は、スピーカや表示装置など、通知の態様に応じた手段を備える。
【００２６】
媒体供給装置２００は、図２に示すように、制御部２１０と、収容部２２０ａ及び２２０ｂと、検知部２３０と、通信部２４０とを備える。制御部２１０は、ＣＰＵ等の演算処理装置やメモリを備え、プログラムを実行することにより媒体供給装置２００の各部の動作を制御する。制御部２１０は、検知部２３０による検知結果を画像形成装置１００に供給するとともに、画像形成装置１００から情報を取得すると、取得した情報が示す内容に応じて収容部２２０ａ及び２２０ｂを動作させる。
【００２７】
収容部２２０ａ及び２２０ｂ、検知部２３０並びに通信部２４０は、詳細の図示を省略するが、画像形成装置１００の同名の手段と共通する機能を有する。すなわち、収容部２２０ａ及び２２０ｂは、図３及び図４に示す構成のリフト台２２１、供給ロール２２２、モータ２２３及び２２４並びに電力供給部２２５及び２２６を備える。よって、収容部２２０ａ及び２２０ｂに共通する構成について説明する場合には、これらを総称して「収容部２２０」という。また、検知部２３０は、収容部２２０ａ及び２２０ｂのそれぞれに対応するセンサ２３１及び２３２を備え、通信部２４０は、画像形成装置１００の通信部１４０に対応する通信手段である。
【００２８】
図５は、制御部１１０が記録媒体の搬送制御において実現する機能を示す機能ブロック図である。制御部１１０は、プログラムを実行することにより、異常情報取得手段１１１と、停止手段１１２と、解消情報取得手段１１３と、特定手段１１４と、再開手段１１５とを実現する。異常情報取得手段１１１は、本発明における第１の取得手段の一例であり、収容部１２０又は２２０において供給異常が検知されたことを表す異常情報を取得する機能を有する。異常情報は、検知信号に基づいて生成される情報であり、収容部１２０又は２２０のいずれにおいて供給異常が検知されたかを表す情報である。停止手段１１２は、異常情報取得手段１１１により取得された異常情報に基づいて収容部１２０又は２２０のいずれかの電力供給を停止させる機能を有する。解消情報取得手段１１３は、本発明における第２の取得手段の一例であり、供給異常が解消されたことを表す解消情報を取得する機能を有する。解消情報は、本実施形態においては、指示受付部１６０が受け付けた指示に基づいて生成される情報である。特定手段１１４は、記録媒体を供給する指示が与えられた場合に、供給対象の記録媒体が収容された収容部が収容部１２０又は２２０のいずれであるかを特定する機能を有する。記録媒体を供給する指示は、指示受付部１６０が受け付けた画像形成に関する指示に基づいて与えられるものである。再開手段１１５は、あらかじめ決められた条件が満たされた場合に、停止手段１１２により停止された電力供給を再開する機能を有する。
【００２９】
本実施形態の画像形成システム１０の構成は、以上のとおりである。この構成のもと、画像形成装置１００は、画像を形成する旨の指示（以下、「ジョブ」という。）を取得すると、この指示に応じた記録媒体を選択して搬送経路に供給し、記録媒体に画像を形成する。画像形成装置１００は、供給対象の記録媒体が媒体供給装置２００に収容されている場合には、媒体供給装置２００に対してその記録媒体を供給する旨の指示を与える。このとき、媒体供給装置２００は、この指示に対応する記録媒体を供給する動作を行う。
【００３０】
画像形成装置１００及び媒体供給装置２００は、以上の処理を実行中に、記録媒体の供給異常を監視する。供給異常には、記録媒体が詰まることによって生じるものと、供給ロール１２２（又は２２２）の回転の異常によって生じるものとが考えられるが、いずれの理由であるかは、使用者等が確認をしなければ明らかにならない。しかし、後者の理由によって供給異常が生じた場合、モータ１２４（又は２２４）の温度が上昇したり、駆動系の一部に負荷がかかったりするなどして、本来の機能や耐久性が得られなくなる可能性がある。そこで、画像形成装置１００の制御部１１０は、供給異常を検知した場合に、画像形成処理を一旦中断させるとともに、モータ１２４（又は２２４）への電力供給を遮断し、モータ１２４（又は２２４）に温度の上昇要因となる電力が到達しないようにする給電制御を行う。このときの画像形成装置１００の動作は、以下のとおりである。
【００３１】
図６は、制御部１１０が実行する給電制御を示すフローチャートである。制御部１１０は、異常情報を取得したこと（ステップＳ１）を契機に同図に示す処理を実行する。異常情報を取得した制御部１１０は、その異常情報に基づき、供給異常が生じた収容部が収容部１２０又は収容部２２０のいずれであるかを特定する（ステップＳ２）。その後、制御部１１０は、特定した収容部への電力供給を停止させる（ステップＳ３）。制御部１１０は、電力供給を停止させる前に、特定した収容部のリフト台１２１又は２２１を下降させ、記録媒体と供給ロール１２２とが接触しない状態にさせる。この状態にさせるのは、供給異常の解消を容易にするためである。
【００３２】
続いて、制御部１１０は、ステップＳ２において特定した収容部から解消情報が取得されたか否かを判断する（ステップＳ４）。解消情報は、使用者が確認を行うなどして、供給異常の状態が解消されると供給される。制御部１１０は、解消情報が供給されるのを待機し、解消情報を取得すると次の処理に移行する。
制御部１１０は、解消情報を取得すると、実行すべきジョブの有無を判断する（ステップＳ５）。ここにおいて、実行すべきジョブとは、実行中であったジョブが供給異常により中断した場合には、当該ジョブ（の続き）であるが、当該ジョブの実行が終了した場合などであれば、使用者が新たに処理を要求したジョブであってもよい。
【００３３】
制御部１１０は、実行すべきジョブがある場合、当該ジョブに応じた画像を形成する記録媒体を特定し、特定した記録媒体が収容されている収容部を特定する（ステップＳ６）。続いて、制御部１１０は、特定した収容部がステップＳ３の処理によって停止中の収容部であるか否かを判断する（ステップＳ７）。制御部１１０は、この条件を満たす場合に停止中の収容部への電力供給を再開し（ステップＳ８）、この条件を満たさない場合には、かかる電力供給を再開せず、再びステップＳ５の処理を行う。
【００３４】
なお、制御部１１０は、ステップＳ８において電力供給を再開させた後に、停止前に下降させたリフト台１２１又は２２１を再び上昇（リフトアップ）させ、記録媒体を供給可能な状態にさせる。このとき、制御部１１０は、記録媒体の残量検知をあわせて行い、検知した残量を通知部１７０に通知させる。
【００３５】
以上のとおり、本実施形態の画像形成装置１００は、電力供給を停止させた収容部への電力供給を、供給異常が解消したタイミングではなく、供給異常が解消し、かつ、当該収容部に収容された記録媒体を使用する必要があるタイミングで再開させる。すなわち、画像形成装置１００は、ある収容部について供給異常が解消しても、当該収容部に収容された記録媒体が必要になるまでは電力供給を行わない。
【００３６】
［変形例］
上述した実施形態は、本発明の一例である。本発明は、例えば、以下の変形例を適用可能である。なお、上述した実施形態及び以下の変形例は、必要に応じて、これらを組み合わせて適用してもよい。
【００３７】
（変形例１）
本発明に係る給電制御は、電力の供給を遮断しているときに、これを一時的に解除するものであってもよい。例えば、画像形成装置１００が行う動作の一部については、電力供給を再開する前に行われていることが望ましいものもある。かかる動作のことを、以下では「準備動作」という。上述した実施形態において、準備動作に該当する動作は、リフトアップや記録媒体の残量を検知及び通知する動作である。電力供給の再開前に準備動作を実行すると、これを再開後に実行する必要がなくなるため、上述した実施形態の場合に比べ、電力供給の再開後にジョブの実行がより早く開始される。
【００３８】
図７及び図８は、本例に係る給電制御を示すフローチャートである。なお、図７に示す動作は、準備動作に係る部分を除き、図６に示した動作と共通する。本例において、制御部１１０は、解消情報を取得した後に準備処理を行う（ステップＳａ）。ここにおいて、準備処理とは、準備動作を行うための処理をいう。
【００３９】
準備処理において、制御部１１０は、まず、ステップＳ３における処理を一時的に解除する（ステップＳａ１）。すなわち、制御部１１０は、ステップＳ３において電力供給を停止させた収容部に対して、電力を供給させる。続いて、制御部１１０は、リフトアップ（ステップＳａ２）と記録媒体の残量の検知及び通知（ステップＳａ３）を行い、これらの準備動作が終了したら、収容部に対する電力供給を再び停止させ（ステップＳａ４）、ステップＳ５以降の処理を実行する。
【００４０】
なお、上述した実施形態においては、リフト台１２１又は２２１の移動量に基づいて記録媒体の残量を検知するとしたが、本発明における残量検知の方法は、これに限らない。残量検知の他の方法としては、例えば、残量を検知する手段として、記録媒体の位置や重量を検知するセンサを設け、かかるセンサの検知結果に基づいて記録媒体の残量を検知する構成が考えられる。
【００４１】
（変形例２）
本発明に係る収容部は、記録媒体の供給に係る電力供給部と他の電力供給部とを別個に備える構成であってもよい。ここにおいて、他の電力供給部とは、記録媒体の供給に直接的には関連しない手段（センサ等）に電力を供給するものである。ここでいうセンサには、例えば、収容部が引き出し可能な構成である場合であれば、収容部が引き出されているか否かを検知するセンサや、上述した記録媒体の残量を検知するセンサが該当する。
【００４２】
図９は、本例に係る収容部の構成を示すブロック図である。この収容部１２０は、図４に示す構成に代えて採用可能な構成であり、電力供給部１２５に加え、電力供給部１２６を備える。電力供給部１２６は、センサ１２７に電力を供給する。ここにおいて、電力供給部１２５と電力供給部１２６とでは、供給する電力の電圧が異なり、電力供給部１２６が供給する電圧よりも電力供給部１２５が供給する電圧の方が高くなるように構成されている。例えば、電力供給部１２６が供給する電圧は、５Ｖであり、電力供給部１２５が供給する電圧は、２４Ｖである。この例の場合、本発明における第１の電圧が５Ｖであり、本発明における第２の電圧が２４Ｖであるということである。
【００４３】
電力供給部１２６が供給する電圧は、電力供給部１２５が供給する電圧よりも低電圧であるため、電力供給部１２５が供給する電圧よりも温度の上昇要因になりにくいといえる。そこで、本例の構成においては、収容部１２０は、給電制御において電力供給部１２５による電力供給を停止させる場合に、電力供給部１２６による電力供給は停止させないでもよい。
【００４４】
（変形例３）
本発明に係る画像形成システムは、複数の媒体供給装置を連結した構成としてもよい。例えば、本発明に係る画像形成システムは、画像形成装置と、画像形成装置に連結する第１の媒体供給装置と、第１の媒体供給装置に連結する第２の媒体供給装置とを備える構成であってもよい。
【００４５】
（変形例４）
本発明は、コンピュータに上述した給電制御を実現させるためのプログラムとしても提供され得る。かかるプログラムは、光ディスクやフラッシュメモリ等の記録媒体に記録された形態で提供されてもよいし、インターネット等のネットワークを介してダウンロードされてもよい。
【符号の説明】
【００４６】
１０…画像形成システム、１００…画像形成装置、２００…媒体供給装置、１１０…制御部、１１１…異常情報取得手段、１１２…停止手段、１１３…解消情報取得手段、１１４…特定手段、１１５…再開手段、１２０、１２０ａ、１２０ｂ、２２０、２２０ａ、２２０ｂ…収容部、１２５、１２６…電力供給部
【図１】
2010173227.tif 000003
【図２】
2010173227.tif 000004
【図３】
2010173227.tif 000005
【図４】
2010173227.tif 000006
【図５】
2010173227.tif 000007
【図６】
2010173227.tif 000008
【図７】
2010173227.tif 000009
【図８】
2010173227.tif 000010
【図９】
2010173227.tif 000011